(57)【要約】【課題】内容物の数・形状に応じて、直方体型の包装箱及び三角柱型の包装箱のいずれにも組み立てることが可能な包装箱用のブランクシートを提供する。【解決手段】ブランクシート１は、直方体型の包装箱における六面を構成する、底面部２と、底面部２を中心に設けられた左右一対の左端面部３及び右端面部４並びに前後一対の前側面部５及び後側面部６と、前側面部５に設けられた天面部７とを少なくとも備える。左端面部３及び右端面部４には、先端縁の後側の角部から対角線上に延びる折り目Ｌ１３が設けられており、天面部７には、天面部７を第１の部分７０と第２の部分７１とに分ける折り目Ｌ１６が設けられている。左端面部３及び右端面部４が折り目Ｌ１３で三角形状に折り畳まれて三角柱型の包装箱における一対の端面をなし、底面部２と、後側面部６と、前側面部５及び第１部分７０とが三角柱型の包装箱における周面をなす。【選択図】図１
2018002197.tif 000002
【特許請求の範囲】
【請求項１】
直方体型及び三角柱型の包装箱の両方を組み立て可能な包装箱用のブランクシートであって、
直方体型の包装箱における六面を構成する、底面部と、前記底面部を中心に前記底面部の周縁に折り曲げ可能に設けられた左右一対の左端面部及び右端面部並びに前後一対の前側面部及び後側面部と、前記前側面部の前端縁に折り曲げ可能に設けられた天面部と、を少なくとも備え、
前記左端面部及び前記右端面部には、先端縁の後側の角部から対角線上に延びる第１の折り目が設けられており、
前記天面部には、当該天面部を前記前側面部に連設された第１の部分と前記第１の部分に連設された第２の部分とに分ける第２の折り目が設けられており、
前記左端面部及び前記右端面部が前記第１の折り目で三角形状に折り畳まれて三角柱型の包装箱における一対の端面をなし、前記底面部と、前記後側面部と、前記前側面部及び前記第１部分とが三角柱型の包装箱における周面をなす包装箱用のブランクシート。
【請求項２】
前記左端面部及び前記右端面部の先端縁には、それぞれ第１フラップが折り曲げ可能に設けられ、
三角柱型の包装箱において、前記第１フラップは前記後側面部と対向して前記後側面部との間に前記第２部分を差込可能である請求項１に記載の包装箱用のブランクシート。
【請求項３】
前記左端面部及び前記右端面部の前端縁には、それぞれ第２フラップが折り曲げ可能に設けられ、
三角柱型の包装箱において、前記第２フラップは前記底面部上に互いに対向して配置される請求項１又は２に記載の包装箱用のブランクシート。
【請求項４】
前記第２フラップは、前記底面部上に対向配置された際に先端部同士が互いに突き当たるように、その長さが設定されている請求項３に記載の包装箱用のブランクシート。
【請求項５】
前記天面部には、前端縁に差込部が折り曲げ可能に設けられ、
三角柱型の包装箱において、前記差込部は前記第２部分とフラットな状態で前記第１フラップと前記後側面部との間に差し込まれる請求項２に記載の包装箱用のブランクシート。
【請求項６】
底面部と、左右一対の左端面部及び右端面部と、前後一対の前側面部及び後側面部と、前記前側面部に折り曲げ可能に設けられた天面部とを少なくとも備えた直方体型の包装箱であって、
前記左端面部及び前記右端面部には、上端縁の後側の角部から対角線に延びる第１の折り目が設けられており、
前記天面部には、当該天面部を前記前側面部に連設された第１部分と前記第１部分に連設された第２部分とに分ける第２の折り目が設けられており、
前記左端面部及び前記右端面部が前記第１の折り目で折り畳まれて三角形状となり、前記第１部分が前記前側面部とフラットな状態となって三角形状とされた前記左端面部及び前記右端面部の傾斜辺に沿うとともに前記第２部分が前記第２の折り目で折り曲げられて前記後側面部に沿うことで、三角柱型に変形可能である包装箱。
【請求項７】
前記左端面部及び前記右端面部の上端縁には、内向きに９０度折り曲げられた第１フラップがそれぞれ設けられ、
前記第１フラップは、前記左端面部及び前記右端面部が前記第１の折り目で折り畳まれて三角形状となった状態で、前記左端面部及び前記右端面部に対し反対方向に折り曲げられて前記後側面部との間に前記第２部分を差込可能である請求項６に記載の包装箱。
【請求項８】
前記左端面部及び前記右端面部の前端縁には、内向きに９０度折り曲げられた第２フラップがそれぞれ設けられ、
前記第２フラップは、前記左端面部及び前記右端面部が前記第１の折り目で折り畳まれて三角形状となった状態で、前記左端面部及び前記右端面部に対し反対方向に折り曲げられて前記底面部上に互いに対向して配置可能である請求項６又は７に記載の包装箱。
【請求項９】
前記第２フラップは、前記底面部上に対向配置された際に先端部同士が互いに突き当たるように、その長さが設定されている請求項８に記載の包装箱。
【請求項１０】
前記天面部には、差込部が折り曲げ可能に設けられ、
前記差込部は、前記左端面部及び前記右端面部が前記第１の折り目で折り畳まれて三角形状となった状態で、前記第２部分とフラットな状態とされて前記第１フラップと前記後側面部との間に差込可能である請求項７に記載の包装箱。
【発明の詳細な説明】
【技術分野】
【０００１】
本発明は、内容物の数・形状に応じて、直方体型の包装箱及び三角柱型の包装箱のいずれにも組み立てることが可能な包装箱用のブランクシート、及び、直方体型と三角柱型との間で変形可能な包装箱に関する。
【背景技術】
【０００２】
複数の内容物を収納して保管・搬送するための包装箱として、従来から段ボールや厚紙などからなる包装箱が広く用いられている。この種の包装箱は、１枚のブランクシートを所定の折り目に沿って折り曲げることにより組み立てられ、例えば断面視矩形状の直方体型の包装箱の他、特許文献１に示すような断面視三角形状の三角柱型の包装箱が一般的に用いられている。
【先行技術文献】
【特許文献】
【０００３】
【特許文献１】実公平３−５００１４号公報
【発明の概要】
【発明が解決しようとする課題】
【０００４】
ここで、直方体型の包装箱は、内容物の収納性や包装箱の保管・搬送時の安定性においては良好である。しかし、直方体型の包装箱は、図１３に示すように、内容積のわりに収納する内容物Ｐの数などが少ない場合には、内部にデッドスペースＳが存在し、その分だけ包装箱を保管・搬送する際にスペースが嵩んでしまうので、保管効率・搬送効率が悪くなる。そのため、収納する内容物Ｐの数などが少ない場合には、図１４に示すように三角柱型の包装箱を用いると、デッドスペースＳを減らすことができ、包装箱を保管・搬送する際のスペースの無駄を省くことができる。しかし、これでは、直方体型の包装箱用のブランクシート及び三角柱型の包装箱用のブランクシートの２種類のブランクシートを用意しておく必要があるので、包装材料の調達コストや管理の手間がかかるという課題がある。
【０００５】
本発明は、上記した課題に着目してなされたものであり、内容物の数・形状に応じて、直方体型の包装箱及び三角柱型の包装箱のいずれにも組み立てることが可能な包装箱用のブランクシート、及び、直方体型と三角柱型との間で変形可能な包装箱を提供することを目的とする。
【課題を解決するための手段】
【０００６】
本発明の上記目的は、直方体型及び三角柱型の包装箱の両方を組み立て可能な包装箱用のブランクシートであって、直方体型の包装箱における六面を構成する、底面部と、前記底面部を中心に前記底面部の周縁に折り曲げ可能に設けられた左右一対の左端面部及び右端面部並びに前後一対の前側面部及び後側面部と、前記前側面部の前端縁に折り曲げ可能に設けられた天面部と、を少なくとも備え、前記左端面部及び前記右端面部には、先端縁の後側の角部から対角線上に延びる第１の折り目が設けられており、前記天面部には、当該天面部を前記前側面部に連設された第１の部分と前記第１の部分に連設された第２の部分とに分ける第２の折り目が設けられており、前記左端面部及び前記右端面部が前記第１の折り目で三角形状に折り畳まれて三角柱型の包装箱における一対の端面をなし、前記底面部と、前記後側面部と、前記前側面部及び前記第１部分とが三角柱型の包装箱における周面をなす包装箱用のブランクシートにより達成される。
【０００７】
上記構成の包装箱用のブランクシートにおいて、前記左端面部及び前記右端面部の先端縁には、それぞれ第１フラップが折り曲げ可能に設けられ、三角柱型の包装箱において、前記第１フラップは前記後側面部と対向して前記後側面部との間に前記第２部分を差込可能であることが好ましい。
【０００８】
また、上記構成の包装箱用のブランクシートにおいて、前記左端面部及び前記右端面部の前端縁には、それぞれ第２フラップが折り曲げ可能に設けられ、三角柱型の包装箱において、前記第２フラップは前記底面部上に互いに対向して配置されることが好ましい。この場合には、前記第２フラップは、前記底面部上に対向配置された際に先端部同士が互いに突き当たるように、その長さが設定されていることがさらに好ましい。
【０００９】
また、上記構成の包装箱用のブランクシートにおいて、前記天面部には、前端縁に差込部が折り曲げ可能に設けられ、三角柱型の包装箱において、前記差込部は前記第２部分とフラットな状態で前記第１フラップと前記後側面部との間に差し込まれることが好ましい。
【００１０】
また、本発明の上記目的は、底面部と、左右一対の左端面部及び右端面部と、前後一対の前側面部及び後側面部と、前記前側面部に折り曲げ可能に設けられた天面部とを少なくとも備えた直方体型の包装箱であって、前記左端面部及び前記右端面部には、上端縁の後側の角部から対角線に延びる第１の折り目が設けられており、前記天面部には、当該天面部を前記前側面部に連設された第１部分と前記第１部分に連設された第２部分とに分ける第２の折り目が設けられており、前記左端面部及び前記右端面部が前記第１の折り目で折り畳まれて三角形状となり、前記第１部分が前記前側面部とフラットな状態となって三角形状とされた前記左端面部及び前記右端面部の傾斜辺に沿うとともに前記第２部分が前記第２の折り目で折り曲げられて前記後側面部に沿うことで、三角柱型に変形可能である包装箱により達成される。
【００１１】
上記構成の包装箱において、前記左端面部及び前記右端面部の上端縁には、内向きに９０度折り曲げられた第１フラップがそれぞれ設けられ、前記第１フラップは、前記左端面部及び前記右端面部が前記第１の折り目で折り畳まれて三角形状となった状態で、前記左端面部及び前記右端面部に対し反対方向に折り曲げられて前記後側面部との間に前記第２部分を差込可能であることが好ましい。
【００１２】
また、上記構成の包装箱において、前記左端面部及び前記右端面部の前端縁には、内向きに９０度折り曲げられた第２フラップがそれぞれ設けられ、前記第２フラップは、前記左端面部及び前記右端面部が前記第１の折り目で折り畳まれて三角形状となった状態で、前記左端面部及び前記右端面部に対し反対方向に折り曲げられて前記底面部上に互いに対向して配置可能であることが好ましい。この場合においては、前記第２フラップは、前記底面部上に対向配置された際に先端部同士が互いに突き当たるように、その長さが設定されていることがさらに好ましい。
【００１３】
また、上記構成の包装箱において、前記天面部には、差込部が折り曲げ可能に設けられ、前記差込部は、前記左端面部及び前記右端面部が前記第１の折り目で折り畳まれて三角形状となった状態で、前記第２部分とフラットな状態とされて前記第１フラップと前記後側面部との間に差込可能であることが好ましい。
【発明の効果】
【００１４】
本発明によれば、１種類のブランクシートのみにより直方体型の包装箱及び三角柱型の包装箱のいずれも組み立てることができるので、従来のように、直方体型の包装箱用及び三角柱型の包装箱用の２種類のブランクシートを調達したり保管したりする必要がない。よって、包装材料の調達コストや管理の手間を減らすことができる。また、内容物の数や形状に応じて、直方体型の包装箱あるいは三角柱型の包装箱に組み立てることができるので、収納する内容物の数などが少ない場合には、三角柱型の包装箱を用いると、箱内の無駄なデッドスペースを減らすことができ、包装箱の保管・搬送時の省スペース化を図ることができる。よって、包装箱の保管時や輸送時の効率を向上することができる。
【図面の簡単な説明】
【００１５】
【図１】本発明の一実施形態に係る包装箱用のブランクシート平面図である。
【図２】図１のブランクシートにより直方体型又は三角柱型の包装箱を組み立てる手順を示す斜視図である。
【図３】図２に続いて図１のブランクシートにより直方体型又は三角柱型の包装箱を組み立てる手順を示す斜視図である。
【図４】図３に続いて図１のブランクシートにより直方体型又は三角柱型の包装箱を組み立てる手順を示す斜視図である。
【図５】図４に続いて図１のブランクシートにより直方体型の包装箱を組み立てる手順を示す斜視図である。
【図６】図５に続いて図１のブランクシートにより直方体型の包装箱を組み立てる手順を示す斜視図である。
【図７】直方体型の包装箱の斜視図である。
【図８】図７のI-I拡大断面図である。
【図９】図４に続いて図１のブランクシートにより三角柱型の包装箱を組み立てる手順を示す斜視図である。
【図１０】図９に続いて図１のブランクシートにより三角柱型の包装箱を組み立てる手順を示す斜視図である。
【図１１】三角柱型の包装箱の斜視図である。
【図１２】図７のII-II拡大断面図
【図１３】直方体型の包装箱に内容物を収納した状態の概略断面図である。
【図１４】三角柱型の包装箱に内容物を収納した状態の概略断面図である。
【発明を実施するための形態】
【００１６】
以下、本発明の実施形態について、添付図面を参照して説明する。図１は、本発明の一実施形態である包装箱用のブランクシート１を示している。本発明に係るブランクシート１は、内容物の数・形状に応じて三角柱型の包装箱及び直方体型の包装箱のいずれにも組み立てることが可能なものであり、図７及び図８がブランクシート１により組み立てられた直方体型の包装箱Ａの外観構成及び内部構成を、図１１及び図１２がブランクシート１により組み立てられた三角柱型の包装箱Ｂの外観構成及び内部構成を、それぞれ示している。
【００１７】
ブランクシート１０は、例えば厚紙、段ボール紙などの各種公知の紙材料からなる。ブランクシート１０は、長方形状の底面部２と、底面部２を中心として折り曲げ可能に設けられる左右一対の略正方形状の端面部３，４及び前後一対の長方形状の側面部５，６と、長方形状の天面部７とを少なくとも備えている。一方の端面部３、底面部２及び他方の端面部４が左右方向にこの順で連設され、天面部７、一方の側面部５、底面部２及び他方の側面部６が前後方向にこの順で連設されている。天面部７、一方の側面部５、底面部２及び他方の側面部６は、前後方向よりも左右方向が大きく形成されている。
【００１８】
なお、本明細書では、図１のＸＹ方向（底面部２の長辺方向）を左右方向とし、ＶＷ方向（底面部２の短辺方向）を前後方向とし、左側の端面部３及び右側の端面部４をそれぞれ左端面部３及び右端面部４と称し、前側の側面部５及び後ろ側の側面部６をそれぞれ前側面部５及び後側面部６と称する。
【００１９】
左端面部３、右端面部４、前側面部５及び後側面部６は、底面部２を囲むようにして底面部２の周縁にそれぞれ折り目Ｌ１〜Ｌ４を介して設けられている。また、天面部７は、前側面部５の前端縁（包装箱Ａの組立時には上端縁）に折り目Ｌ５を介して折り曲げ可能に設けられている。なお、底面部２、左端面部３、右端面部４、前側面部５、後側面部６及び天面部７は、直方体型の包装箱Ａにおける六面を構成している。
【００２０】
左端面部３及び右端面部４には、それぞれ底面部２と反対側の先端縁（包装箱Ａの組立時には上端縁）に略長方形状の第１フラップ８が折り目Ｌ６，Ｌ７を介して折り曲げ可能に設けられている。また、左端面部３及び右端面部４には、それぞれ前側面部５側の端縁（前端縁）に長方形状の第２フラップ９が折り目Ｌ８，Ｌ９を介して折り曲げ可能に設けられているとともに、それぞれ後側面部６側の端縁（後端縁）に略長方形状の第３フラップ１０が折り目Ｌ１０，Ｌ１１を介して折り曲げ可能に設けられている。さらに、天面部７には、前端縁に略長方形状の差込部１１が折り目Ｌ１２を介して折り曲げ可能に設けられている。第１フラップ８及び差込部１１の両角部は面取りされて丸みを帯びている。
【００２１】
底面部２には、後側面部６との境界に左右一対の長孔状の差込孔１２が所定の間隔をあけて形成されている。この差込孔１２は、後側面部６の底面部２と反対側の後端縁に設けられた左右一対の係止片１３と対応する位置に形成され、かつ、係止片１３を差込可能な大きさに形成されている。
【００２２】
左端面部３及び右端面部４には、当該端面部３，４の先端縁の後側面部６側（後側）の角部から対角線上に延びる折り目（特許請求の範囲における「第１の折り目」に相当する。）Ｌ１３が設けられている。なお、本発明において、「角部」とは、必ずしも端面部３，４の先端縁の最も後側の隅だけを指す意味ではなく、隅近傍も含む意味である。左端面部３及び右端面部４は第１の折り目Ｌ１３で折り畳まれることで三角形状とすることができる。
【００２３】
後側面部６は、本実施形態では、底面部２に連設された外面部６０と、外面部６０に連設された上面部６２と、上面部６２に連設された内面部６１とで構成されている。外面部６０、上面部６２及び内面部６１は、互いに折り目Ｌ１４，Ｌ１５を介して前後方向に連続して並べられている。内面部６１の後端縁に、上述した左右一対の係止片１３が所定の間隔をあけて形成されている。
【００２４】
天面部７には、左右方向に延びる折り目（特許請求の範囲における「第２の折り目」に相当する。）Ｌ１６が設けられている。天面部７は、折り目Ｌ１６により、前側面部５に連設された第１の部分７０と、第１の部分７０に連設された第２の部分７１とに区分けされている。前後方向に連続して並べられる前側面部５及び天面部７は、前側面部５と第１部分７０との境界の折り目Ｌ５で折り曲げることも可能である一方で、第１部分７０と第２部分７１との境界の折り目Ｌ１６で折り曲げることも可能である。この折り目Ｌ１６は、底面部２及び前側面部５の境界からの長さｄ１が第１の折り目Ｌ１３の長さｄ２とほぼ同じあるいは僅かに大きくなるように、その位置が設定されている。
【００２５】
次に、上記構成のブランクシート１を用いて、直方体型の包装箱Ａ及び三角柱型の包装箱Ｂを組み立てる手順を説明する。
【００２６】
最初に、直方体型の包装箱Ａを組み立てるには、まず、図２に示すように、ブランクシート１の両端面部３，４を第２フラップ９及び第３フラップ１０とともに垂直に立ち上げた後、図３に示すように、第３フラップ１０を内向きに９０度折り曲げる。次に、後側面部６を構成する外面部６０、上面部６２及び内面部６１を第３フラップ１０の外側で垂直に立ち上げた後、上面部６２及び内面部６１をそれぞれ折り目Ｌ１４、Ｌ１５に沿って内向きに９０度折り曲げて上面部６２を第３フラップ１０上に配置させるとともに内面部６１を第３フラップ１０の内側で垂下させて、係止片１３を底面部２の差込孔１２に差し込む。これにより、図４に示すように、外面部６０及び内面部６１による２層構造の後側面部６が形成されるとともにその形状が保持される。また、外面部６０及び内面部６１により第３フラップ１０が挟持されることで、両端面部３，４が起立した状態が保持される。
【００２７】
次に、図５に示すように、第１フラップ８を内向きに９０度折り曲げるとともに、第２フラップ９を内向きに９０度折り曲げる。第１フラップ８は、包装箱Ａ組立時において天面部７を支持する役割を果たす。また、第２フラップ８は、包装箱Ａ組立時において前側面部６を支持する役割を果たす。
【００２８】
その後、図６に示すように、前側面部５、天面部７及び差込部１１を折り目Ｌ３に沿って折り曲げることで、前側面部５を垂直に立ち上げるとともに、天面部７及び差込部１１をそれぞれ折り目Ｌ５，Ｌ１２に沿って内向きに９０度折り曲げることで、天面部７により底面部２、両端面部３，４及び両側面部５，６からなる箱本体の上面開口１４を閉塞し、差込部１１を後側面部６と第１フラップ８との間に差し込む。これにより、図７に示すように、直方体型の包装箱Ａが組み立てられる。
【００２９】
直方体型の包装箱Ａは、図７及び図８に示すように、底面部２、左端面部３、右端面部４、前側面部５、後側面部６及び天面部７が六面を構成している。蓋として機能する天面板７は、両端面部３，４の上端縁の第１フラップ８と後側面部６との間に差し込まれることで、上面開口１４を閉塞する状態が保持される。また、２層構造の後側面部６の形状が保持されるとともに、第３フラップ１０が後側面部６の外面部６０及び内面部６１により挟持されて両端面部３，４が起立した状態が保持されるので、包装箱Ａをテープや接着剤などを使用しなくても丈夫に形状維持することができる。
【００３０】
一方で、ブランクシート１より三角柱型の包装箱Ｂを組み立てるには、上述した図２〜図４までの工程は直方体型の包装箱Ａを組み立てる場合と同じである。次に、第１フラップ８及び第２フラップ９をそれぞれ外向きに９０度折り曲げた後、両端面部３，４を折り目Ｌ１３に沿って内向きに折り畳んで三角形状とすることで、図９に示すように、第１フラップ８を後側面部６と対向させるとともに第２フラップ９を底面部２上に配置させる。
【００３１】
ここで、第２フラップ９は、両端面部３，４を折り目Ｌ１３で折り畳んで三角形状として底面部２上に配置した際に、対向配置された２つの第２フラップ９の先端部同士が互いに突き当たるように、その長さｄ３（図１に示す）が設定されている。これにより、第２フラップ９が突っ張りとして機能することで、両端面部３，４が三角形状に折り畳まれた状態から自然に開くことが防止され、両端面部３，４の形状が保持される。
【００３２】
その後、図１０に示すように、前側面部５、天面部７及び差込部１１を折り目Ｌ３及びＬ１６に沿って折り曲げることで、フラットな状態で連なる前側面部５及び天面部７の第１部分７０を両端面部３，４の傾斜辺に沿わせ、前側面部５及び第１部分７０により底面部２、両端面部３，４及び後側面６からなる箱本体の斜面開口１５を閉塞し、フラットな状態で連なる天面部７の第２部分７１及び差込部１１を後側面部６と第１フラップ８との間に差し込む。これにより、前側面部５及び第１部分７０により箱本体の斜面開口１５を閉塞した状態が保持され、図１１に示すように、三角柱型の包装箱Ｂが組み立てられる。
【００３３】
三角柱型の包装箱Ｂは、図１１及び図１２に示すように、底面部２、前側面部５、後側面部６及び天面部７の第１部分７０が周面を構成し、三角形状に折り畳まれた両端面部３，４が端面を構成している。蓋として機能する前側面部５及び第１部分７０は、第１フラップ８と後側面部６との間に差し込まれることで、斜面開口１５を閉塞する状態が保持される。また、２層構造の後側面部６の形状が保持されるとともに、第３フラップ１０が外面部６０及び内面部６１により挟持されて両端面部３，４が起立した状態が保持されるうえ、第２フラップ９により三角形状に折り畳まれた両端面部３，４の形状が保持されるので、包装箱Ｂをテープや接着剤などを使用しなくても丈夫に形状維持することができる。
【００３４】
以上の通り、上記構成のブランクシート１によれば、１種類のブランクシート１のみにより直方体型の包装箱Ａ及び三角柱型の包装箱Ｂのいずれも組み立てることができるので、従来のように、直方体型の包装箱用及び三角柱型の包装箱用の２種類のブランクシートを調達したり保管したりする必要がないうえ、直方体型の包装箱Ａ及び三角柱型の包装箱Ｂを組み立てる際に接着剤やテープなどが必要ないので、包装材料の調達コストや作業・管理の手間を減らすことができる。
【００３５】
また、内容物の数や形状に応じて、直方体型の包装箱Ａあるいは三角柱型の包装箱Ｂに組み立てることができるので、収納する内容物の数などが少ない場合には、三角柱型の包装箱Ｂを用いると、箱内の無駄なデッドスペースを減らすことができ、包装箱の保管・搬送時の省スペース化を図ることができる。よって、包装箱の保管時や輸送時の効率を向上することができる。
【００３６】
また、直方体型の包装箱Ａについて丈夫に形状維持できるだけでなく、三角柱型の包装箱Ｂについても、第３フラップ１０により三角形状に折り畳まれた両端面部３，４の形状を保持でき、第１フラップ８により蓋として機能する前側面部５及び第１部分７０で箱の開口を閉塞した状態を保持できるので、丈夫に形状維持することができる。
【００３７】
なお、直方体型の包装箱Ａから三角柱型の包装箱Ｂへの変形も容易である。具体的には、まず、包装箱Ａの天面板７を開く。次に、包装箱Ａの両端面部３，４には、その上端縁の後側面部６側の角部から対角線に延びるように折り目Ｌ１３が設けられているので、この折り目Ｌ１３に沿って、両端面部３，４を折り畳んで三角形状とする。このとき、包装箱Ａの両端面部３，４の上端縁には、天面部６と対向するように両端面部３，４に対して内向きに９０度折り曲げられた第１フラップ８が設けられているので、第１フラップ８を両端面部３，４に対し反対方向（外向き）に９０度折り曲げることで後側面部６に対向させる。また、包装箱Ａの両端面部３，４の前側面部５側の端縁には、前側面部５と対向するように両端面部３，４に対して内向きに９０度折り曲げられた第２フラップ９が設けられているので、第２フラップ９を両端面部３，４に対し反対方向（外向き）に９０度折り曲げることで底面部２上に配置させる。
【００３８】
そして、天面板７の第１部分７０を前側面部５と折り目Ｌ５によりフラットな状態にした後、第１部分７０及び前側面部５を折り目Ｌ３で折り曲げて三角形状とされた両端面部３，４の傾斜辺に沿わせる。それとともに、包装箱Ａの天面部７には、両端面部３，４の間を延びて天面部７を第１部分７０と第２部分７１とに分ける折り目Ｌ１６が設けられているので、この折り目Ｌ１６で第２部分７１を折り曲げるとともに、天面部７に設けられた差込部１１を折り目Ｌ１２により第２部分７１とフラットな状態にして、第２部分７１とともに第１フラップ８と後側面部６との間に差し込む。これにより、直方体型の包装箱Ａを三角柱型の包装箱Ｂへ変形させることができる。なお、三角柱型の包装箱Ｂを直方体型の包装箱Ａへと変形させることも可能である。
【００３９】
以上、本発明の一実施形態について説明したが、本発明の具体的な態様は、上記実施形態に限定されるものではなく、本発明の趣旨を逸脱しない限りにおいて種々の変更が可能である。
【００４０】
例えば、上記実施形態では、第２フラップ９は、両端面部３，４を折り目Ｌ１３で折り畳んで三角形状として底面部２上に配置した際に、対向配置された２つの第２フラップ９の先端部同士が互いに突き当たるようになっているが、必ずしも先端部同士が突き当たる必要はない。
【００４１】
また、第１〜第３フラップ８〜１０は必ずしも設けられている必要はない。この場合には、上記実施形態では、接着剤やテープなどを使用することなく包装箱を組み立てることができるので包装材料の調達コストや作業・管理の手間を減らすことができる旨述べたが、本発明は、接着剤やテープなどを使用することを否定するものではなく、必要に応じて糊代などを設け、接着剤やテープなどを使用して包装箱を組み立ててもよい。
【符号の説明】
【００４２】
１    包装箱用のブランクシート
２    底面部
３    左端面部
４    右端面部
５    前側面部
６    後側面部
７    天面部
８    第１フラップ
９    第２フラップ
１０  第３フラップ
１１  差込部
Ｌ１３  折り目（第１の折り目）
Ｌ１６  折り目（第２の折り目）
【図１】
2018002197.tif 000003
【図２】
2018002197.tif 000004
【図３】
2018002197.tif 000005
【図４】
2018002197.tif 000006
【図５】
2018002197.tif 000007
【図６】
2018002197.tif 000008
【図７】
2018002197.tif 000009
【図８】
2018002197.tif 000010
【図９】
2018002197.tif 000011
【図１０】
2018002197.tif 000012
【図１１】
2018002197.tif 000013
【図１２】
2018002197.tif 000014
【図１３】
2018002197.tif 000015
【図１４】
2018002197.tif 000016